(57)【要約】【課題】操作性を損なう事態や、スクリーンに巻き皺が発生する事態を招来することなく、断熱性を向上させること。【解決手段】巻取軸４０からスクリーン５０を繰り出した場合にそれぞれのガイド部材２１に対向するスクリーン５０の両端部表面をガイド部材２１に設けた両側タイト材２４に接触させるようにしたロールスクリーン装置であって、スクリーン５０の先端部に係合部３２ｂを有したボトムバー３０を接続する一方、巻取軸４０からスクリーン５０が繰り出された状態で係合部３２ｂを介してボトムバー３０に係合した場合にスクリーン５０の巻取方向の移動を阻止するフック部材６０を設け、さらにボトムバー３０は、フック部材６０に係合した状態でスクリーン５０に巻取方向の力が加えられた場合にスクリーン５０との接続部分３２ａが両側タイト材２４に近接する方向に向けて移動するようにスクリーン５０との接続部分３２ａに対して見込み方向に沿ってずれた位置に係合部３２ｂが設けてある。【選択図】図６
2015168970.tif 000002
【特許請求の範囲】
【請求項１】
基端部が巻取軸に接続されたスクリーンと、前記巻取軸の両端部に対応した位置から互いに同じ方向に延在した一対のガイド部材とを備え、前記巻取軸の回転により前記スクリーンを前記巻取軸に巻き取った場合に前記一対のガイド部材の間を開放する一方、前記巻取軸から前記スクリーンを繰り出した場合にそれぞれのガイド部材に対向するスクリーンの両端部表面を前記ガイド部材に設けた両側タイト材に接触させるようにしたロールスクリーン装置であって、
前記スクリーンの先端部に係合部を有した係合部材を接続する一方、
前記巻取軸から前記スクリーンが繰り出された状態で前記係合部を介して前記係合部材に係合した場合に前記スクリーンの巻取方向の移動を阻止するフック部材を設け、
さらに前記係合部材は、前記フック部材に係合した状態で前記スクリーンに巻取方向の力が加えられた場合に前記スクリーンとの接続部分が前記両側タイト材に近接する方向に向けて移動するように前記係合部の位置を設定したことを特徴とするロールスクリーン装置。
【請求項２】
前記係合部材は、前記スクリーンの先端部全長に接続した円筒状を成し、その外周面に前記フック部材の先端部が挿入される挿入用切欠を有するとともに、前記挿入用切欠の開口周縁部に前記係合部を構成したものであり、前記フック部材に係合した場合に長手方向に沿った軸を中心として回転することにより、前記スクリーンとの接続部分を前記両側タイト材に近接する方向に向けて移動させることを特徴とする請求項１に記載のロールスクリーン装置。
【請求項３】
前記巻取軸を回転可能に支持する支持体と前記巻取軸との間に、前記スクリーンを巻き取る方向に回転させる付勢手段を介在させ、前記係合部材に前記フック部材を係合させた場合、前記付勢手段の付勢力によって前記スクリーンとの接続部分が前記両側タイト材に近接するように前記係合部材を移動させることを特徴とする請求項１に記載のロールスクリーン装置。
【請求項４】
前記スクリーンは、前記一対のガイド部材の延在端部間に配設した枠部材に対して近接するように前記巻取軸から繰り出されるものであり、
前記係合部材には、前記スクリーンとの接続部分が前記両側タイト材に近接する方向に向けて移動した場合に前記枠部材の見込み面に接触するように枠側タイト材を設けたことを特徴とする請求項１に記載のロールスクリーン装置。
【発明の詳細な説明】
【技術分野】
【０００１】
本発明は、ロールスクリーン装置に関するものである。
【背景技術】
【０００２】
躯体の開口に引き違い窓等の建具を設けた建築物には、簡易的に断熱性を向上させる目的で、建具よりも室内側に設けられた額縁にロールスクリーン装置を設けるようにしたものがある。ロールスクリーン装置は、額縁の上額縁部材に取り付けられ、巻取軸からスクリーンが繰り出されることにより、スクリーンによって額縁の開口を閉じるようにしたものである。額縁の左右に位置する縦額縁部材には、それぞれガイド部材が設けられている。ガイド部材は、スクリーンの端部を摺動可能に収納するように設けられており、スクリーンが巻取軸から繰り出された場合に室内側と室外側との間の気密性を高めるように機能するものである。
【０００３】
この種のロールスクリーン装置を備えた建築物によれば、スクリーンが繰り出されて額縁の開口を閉じた場合、スクリーンによって開口を通じた通気が制限されるため、室内側と室外側との断熱性を向上させることが可能となる（例えば、特許文献１参照）。
【先行技術文献】
【特許文献】
【０００４】
【特許文献１】実開平６−６６９４号公報
【発明の概要】
【発明が解決しようとする課題】
【０００５】
しかしながら、上述のロールスクリーン装置にあっては、スクリーンを繰り出したり、巻き取ったりする際に常にスクリーンの両面にガイド部材が摺接することになる。このため、スクリーンを操作する際に大きな力が必要になり、操作性を考慮した場合、必ずしも好ましいとはいえない。また、スクリーンの左右で巻き取り量が相違するおそれがあり、スクリーンに巻き皺が発生する原因となり得る。さらに、室内ドアを開閉した場合や扇風機、エアコン等の空調機から風を受けた場合には、スクリーンの端部がガイド部材から逸脱するおそれがあり、元の状態に復帰させる操作も煩雑となる。
【０００６】
本発明は、上記実情に鑑みて、操作性を損なう事態や、スクリーンに巻き皺が発生する事態を招来することなく、断熱性を向上させることのできるロールスクリーン装置を提供することを目的とする。
【課題を解決するための手段】
【０００７】
上記目的を達成するため、本発明に係るロールスクリーン装置は、基端部が巻取軸に接続されたスクリーンと、前記巻取軸の両端部に対応した位置から互いに同じ方向に延在した一対のガイド部材とを備え、前記巻取軸の回転により前記スクリーンを前記巻取軸に巻き取った場合に前記一対のガイド部材の間を開放する一方、前記巻取軸から前記スクリーンを繰り出した場合にそれぞれのガイド部材に対向するスクリーンの両端部表面を前記ガイド部材に設けた両側タイト材に接触させるようにしたロールスクリーン装置であって、係合部を有した係合部材を前記スクリーンの先端部に設ける一方、前記巻取軸から前記スクリーンが繰り出された状態で前記係合部を介して前記係合部材に係合した場合に前記スクリーンの巻取方向の移動を阻止するフック部材を設け、さらに前記係合部材は、前記フック部材に係合した状態で前記スクリーンに巻取方向の力が加えられた場合に前記スクリーンとの接続部分が前記両側タイト材に近接する方向に向けて移動するように前記係合部の位置を設定したことを特徴とする。
【０００８】
この発明によれば、スクリーンに設けた係合部材をフック部材に係合させた場合にのみスクリーンの一方の表面をガイド部材の両側タイト材に圧接させるようにできるため、スクリーンを繰り出したり、巻き取ったりする際にはスクリーンが両側タイト材に常時摺接することがない。これにより、スクリーンを繰り出したり、巻き取ったりする際の操作力を低減することができる。また、スクリーンの左右で巻き取り量が相違するおそれもないため、スクリーンに巻き皺が発生することもない。さらに、スクリーンの端部は、ガイド部材の両側タイト材に対して単に対向して配置されるだけであるため、仮に室内ドアを開閉した場合や扇風機、エアコン等の空調機から風を受けた場合にスクリーンの端部がガイド部材から逸脱する位置に移動したとしても、例えばスクリーンに巻き取り方向の力を加えることで容易に元の状態に復帰させることが可能である。
【０００９】
また本発明は、上述したロールスクリーン装置であって、前記係合部材は、前記スクリーンの先端部全長に接続した円筒状を成し、その外周面に前記フック部材の先端部が挿入される挿入用切欠を有するとともに、前記挿入用切欠の開口周縁部に前記係合部を構成したものであり、前記フック部材に係合した場合に長手方向に沿った軸を中心として回転することにより、前記スクリーンとの接続部分を前記両側タイト材に近接する方向に向けて移動させることを特徴とする。
【００１０】
この発明によれば、スクリーンの先端部全長に係合部材を設けているため、スクリーンの両端部が常に同じ状態でフック部材に係合されることになり、スクリーンが繰り出された状態で一方の端部に皺が寄る等の問題を招来することがない。
【００１１】
また本発明は、上述したロールスクリーン装置であって、前記巻取軸を回転可能に支持する支持体と前記巻取軸との間に、前記スクリーンを巻き取る方向に回転させる付勢手段を介在させ、前記係合部材に前記フック部材を係合させた場合、前記付勢手段の付勢力によって前記スクリーンとの接続部分が前記両側タイト材に近接するように前記係合部材を移動させることを特徴とする。
【００１２】
この発明によれば、フック部材に係合部材を係合させれば、付勢手段の付勢力によって自動的にスクリーンとの接続部分が両側タイト材に近接するように係合部材が移動する。
【００１３】
また本発明は、上述したロールスクリーン装置であって、前記スクリーンは、前記一対のガイド部材の延在端部間に配設した枠部材に対して近接するように前記巻取軸から繰り出されるものであり、前記係合部材には、前記スクリーンとの接続部分が前記両側タイト材に近接する方向に向けて移動した場合に前記枠部材の見込み面に接触するように枠側タイト材を設けたことを特徴とする。
【００１４】
この発明によれば、枠側タイト材によって枠部材とスクリーンとの隙間が埋められることになり、断熱性を向上させることができる。
【発明の効果】
【００１５】
本発明によれば、スクリーンに設けた係合部材をフック部材に係合させた場合にのみスクリーンの一方の表面をガイド部材の両側タイト材に圧接させるようにできるため、スクリーンを繰り出したり、巻き取ったりする際にはスクリーンが両側タイト材に常時摺接することがない。これにより、スクリーンを繰り出したり、巻き取ったりする際の操作力を低減することができる。また、スクリーンの左右で巻き取り量が相違するおそれもないため、スクリーンに巻き皺が発生することもない。さらに、スクリーンの端部は、ガイド部材の両側タイト材に対して単に対向して配置されるだけであるため、仮に室内ドアを開閉した場合や扇風機、エアコン等の空調機から風を受けた場合にスクリーンの端部がガイド部材から逸脱する位置に移動したとしても、例えばスクリーンに巻き取り方向の力を加えることで容易に元の状態に復帰させることが可能である。従って、操作性を損なうことなく断熱性を向上させることができるようになる。
【図面の簡単な説明】
【００１６】
【図１】図１は、本発明の実施の形態であるロールスクリーン装置を取り付けた建築物の要部縦断面図である。
【図２】図２は、図１に示した建築物の要部横断面図である。
【図３】図３は、図１に示したロールスクリーン装置においてスクリーンがもっとも巻き取られた状態の縦断面図である。
【図４】図４は、図１に示したロールスクリーン装置においてスクリーンが途中まで繰り出された状態の縦断面図である。
【図５】図５は、図１に示したロールスクリーン装置においてスクリーンが途中まで繰り出された状態の横断面図である。
【図６】図６は、図１に示したロールスクリーン装置において係合部材をフック部材に係合させた状態を示すもので、（ａ）は係合部材をフック部材に係合させた直後の状態を示す要部縦断面図、（ｂ）は係合部材をフック部材に係合させた後にスクリーンに巻取方向の力が加えられた状態を示す要部縦断面図である。
【発明を実施するための形態】
【００１７】
以下、添付図面を参照しながら本発明に係るロールスクリーン装置の好適な実施の形態について詳細に説明する。
【００１８】
図１及び図２は、本発明の実施の形態であるロールスクリーン装置を示したものである。ここで例示するロールスクリーン装置は、躯体開口１に設けた引き違い窓１０の開口枠１１から室内側に向けて配設された額縁１２を取付対象とするものである。額縁１２は、上額縁部材１２ａ、下額縁部材（枠部材）１２ｂ及び左右一対の縦額縁部材１２ｃを備えて矩形の枠状に構成したものである。この額縁１２を取付対象とするロールスクリーン装置は、一対のガイド部材２１とこれらガイド部材２１の上端部間に架設するように設けた支持体２２とを備えている。
【００１９】
それぞれのガイド部材２１は、縦額縁部材１２ｃの見込み面に対向する基壁部２１ａと、基壁部２１ａから互いに対向するように突出した３つのヒレ部２１ｂ，２１ｃ，２１ｄとを一体に成型したもので、基壁部２１ａを介して縦額縁部材１２ｃに固定ネジ２３によって取り付けてある。基壁部２１ａは、上額縁部材１２ａの下面から下額縁部材１２ｂの上面までの間にわたって設けた薄板状部材である。基壁部２１ａにおいて縦額縁部材１２ｃに対向する面には、縦額縁部材１２ｃの見込み面に当接した複数のリブ２１ｅが設けてある。
【００２０】
基壁部２１ａのもっとも室外側となる部分から突出したヒレ部（以下、「外方ヒレ部２１ｂ」という）は、基壁部２１ａの全長にわたる部位に形成した薄板状部材である。基壁部２１ａのもっとも室内側となる部分から突出したヒレ部（以下、「内方ヒレ部２１ｃ」という）は、下額縁部材１２ｂの上面から外方ヒレ部２１ｂに平行となるように設けた薄板状部材である。基壁部２１ａからの内方ヒレ部２１ｃの突出長さは、外方ヒレ部２１ｂよりも大きな寸法を有するように設定してある。本実施の形態では、外方ヒレ部２１ｂの約２倍の突出長さを有するように内方ヒレ部２１ｃが形成してある。内方ヒレ部２１ｃの上端位置は、上額縁部材１２ａの下面との間に後述する支持体２２を配置することのできる間隙を確保するように設定してある。基壁部２１ａの中間部に設けたヒレ部（以下、「中間ヒレ部２１ｄ」という）は、基壁部２１ａにおいて内方ヒレ部２１ｃに近接した部分から内方ヒレ部２１ｃに平行となるように設けた薄板状部材である。中間ヒレ部２１ｄの基壁部２１ａからの突出長さは、外方ヒレ部２１ｂよりもわずかに小さくなるように設定してある。中間ヒレ部２１ｄの上端位置は、内方ヒレ部２１ｃとほぼ一致する一方、中間ヒレ部２１ｄの下端位置は、下額縁部材１２ｂの上面との間に後述するボトムバー（係合部材）３０を通過させることのできる間隙を確保するように設定してある。
【００２１】
ガイド部材２１の内方ヒレ部２１ｃには、室外側に臨む見付け面に両側タイト材２４が配設してある。両側タイト材２４は、内方ヒレ部２１ｃの突出端部から室外側に突出した「モヘア」と称される刷毛状のもので、内方ヒレ部２１ｃの上端位置から下端位置までの間に直線状に連続して設けてある。両側タイト材２４の先端位置は、中間ヒレ部２１ｄの配設位置を超えるように設定してある。
【００２２】
一方、ロールスクリーン装置の支持体２２は、見込み方向に沿った寸法がガイド部材２１よりも大きなケース部２２ａと、ケース部２２ａの上面に着脱可能に係合されるブラケット部２２ｂとを備えたものである。この支持体２２は、上額縁部材１２ａの見込み面にブラケット部２２ｂを固定ネジ２５で取り付けた後、ブラケット部２２ｂにケース部２２ａを係合させることによって上額縁部材１２ａの見込み面に支持させてある。ケース部２２ａとブラケット部２２ｂとの間には、ブラケット部２２ｂからのケース部２２ａの脱落を阻止するための取付ネジ２６が螺合してある。
【００２３】
支持体２２のケース部２２ａは、ガイド部材２１の外方ヒレ部２１ｂに当接する位置から内方ヒレ部２１ｃを超えて室内側に突出するように設けた中空の筒状体である。ケース部２２ａの両端部下面は、ガイド部材２１に設けた内方ヒレ部２１ｃの上端に当接した状態にある。このケース部２２ａには、ガイド部材２１の内方ヒレ部２１ｃよりも室外側に位置する部分の下面に繰出口２２ｃが設けてある。繰出口２２ｃは、上額縁部材１２ａの長手方向に沿った開口であり、中間ヒレ部２１ｄの相互間隔よりもわずかに短い寸法に形成してある。図からも明らかなように、ケース部２２ａにおいて繰出口２２ｃの両側となる部分には、上方に向けて切り欠いた収容部２２ｄが構成してある。
【００２４】
ケース部２２ａの繰出口２２ｃにおいて室内側に位置する開口縁部には、上方タイト材２７が設けてある。上方タイト材２７は、室外側に向けてほぼ水平に突出した「モヘア」と称される刷毛状のもので、繰出口２２ｃの全長にわたる部位に直線状に連続して設けてある。上方タイト材２７の先端位置は、中間ヒレ部２１ｄの室内側に臨む見付け面の位置とほぼ同じとなるように設定してある。
【００２５】
ケース部２２ａの内部には、巻取軸４０が配設してある。巻取軸４０は、両端部を介してケース部２２ａに支持させた円柱状部材であり、円柱の中心軸線が上額縁部材１２ａの長手方向に沿った状態で中心軸線を中心に回転することが可能である。図１からも明らかなように、巻取軸４０は、その中心軸線がガイド部材２１の内方ヒレ部２１ｃよりも室内側に設定してあるとともに、室外側の外周面を通過する垂線がガイド部材２１の内方ヒレ部２１ｃと中間ヒレ部２１ｄとの間を通過するように外径が設定してある。図には明示していないが、巻取軸４０とケース部２２ａとの間には、図１において巻取軸４０を時計回りに回転するように付勢する渦巻きバネ等の付勢部材（付勢手段）４１が設けてある。
【００２６】
この巻取軸４０には、スクリーン５０の基端部が接続してある。スクリーン５０は、巻取軸４０の室外側外周面からケース部２２ａの繰出口２２ｃを通過して下方に繰り出した場合に、両端縁が両側タイト材２４を超えてガイド部材２１の内方ヒレ部２１ｃに対向する幅を有し、かつ先端部が中間ヒレ部２１ｄの下端位置を超えて下方に位置するように構成したものである。このスクリーン５０の先端部には、ボトムバー（係合部材）３０が接続してある。
【００２７】
ボトムバー３０は、上額縁部材１２ａの長手方向に沿った寸法がケース部２２ａの繰出口２２ｃよりも大きく、かつガイド部材２１の外方ヒレ部２１ｂと中間ヒレ部２１ｄとの間を通過できる外径に形成した円筒状を成すもので、外周面に挿入用切欠３１を有している。挿入用切欠３１は、ボトムバー３０の中心軸線に沿って設けた開口であり、スクリーン５０の先端部を挿入することのできる長さを有している。挿入用切欠３１の周方向に沿った開口幅は、中心角がほぼ４５°となるように形成してある。スクリーン５０は、先端部に板状の芯部材５１を装着した後、芯部材５１とともに挿入用切欠３１を介してボトムバー３０の内部に係合させることにより、ボトムバー３０に接続した状態となる。より詳細には、図３に示すように、ボトムバー３０においてスクリーン５０が導出される部分を鉛直上方に向けた場合、挿入用切欠３１が室内側に向けて斜め上方に開口するように、ボトムバー３０に対してスクリーン５０の先端部が接続してある。本実施の形態では、ボトムバー３０において挿入用切欠３１の長手方向に沿った２つの開口縁部のうち、図３の上方側に位置する開口縁部がスクリーン５０との接続部分３２ａとなり、図３の下方側に位置する開口縁部が係合部３２ｂを構成することになる。これら接続部分３２ａ及び係合部３２ｂは、ボトムバー３０の筒状部分を中心軸線に向けて屈曲することにより構成したものである。
【００２８】
このボトムバー３０には、枠側タイト材３３が設けてある。枠側タイト材３３は、ボトムバー３０の外周面から径方向に沿って外周方向に突出した「モヘア」と称される刷毛状のもので、ボトムバー３０の中心軸線に沿って直線状に配設してある。枠側タイト材３３を設ける位置は、ボトムバー３０の周面においてスクリーン５０が導出される部分を鉛直上方に向けた場合、室内側に向けて斜め下方となる部分である。本実施の形態では、スクリーン５０が導出される部分との間の中心角がほぼ１５０°となる位置に枠側タイト材３３が設けてある。尚、図中の符号３４は、ボトムバー３０の中央部から垂下するように設けた操作紐である。
【００２９】
一方、一対のガイド部材２１には、図１及び図２に示すように、内方ヒレ部２１ｃにおいて中間ヒレ部２１ｄの下端よりも下方となる部位にそれぞれフック部材６０が取り付けてある。フック部材６０は、中間ヒレ部２１ｄにおいて室外側に臨む見付け面から室外側に向けてほぼ水平に突出した後、突出端部が下方に向けて屈曲したものである。図からも明らかなように、フック部材６０の突出端部は、中間ヒレ部２１ｄよりもわずかに室外側に突出している。これらのフック部材６０は、それぞれの中間ヒレ部２１ｄにおいて両側タイト材２４と基壁部２１ａとの間となる位置に設けてあり、ボトムバー３０を中間ヒレ部２１ｄの下端よりも下方に配置させた状態で室内側に移動させた場合にボトムバー３０の挿入用切欠３１に同時に挿入することが可能である。
【００３０】
上記のように構成したロールスクリーン装置では、スクリーン５０に外力を加えていない場合、図３に示すように、付勢部材４１によって巻取軸４０が時計回りに回転するように付勢されているため、基端部が巻取軸４０に接続されたスクリーン５０が巻取軸４０の外周に巻き取られ、一対のガイド部材２１の間が開放されることになる。このとき、ボトムバー３０は、ガイド部材２１の外方ヒレ部２１ｂと中間ヒレ部２１ｄとの間においてケース部２２ａの収容部２２ｄに収容され、室内側に位置するケース部２２ａによって枠側タイト材３３とともに覆い隠された状態にある。
【００３１】
この状態から操作紐３４を下方に引くと、図４及び図５に示すように、ボトムバー３０がガイド部材２１の外方ヒレ部２１ｂと中間ヒレ部２１ｄとの間に案内されながら下方に移動し、これに伴ってスクリーン５０が付勢部材４１の付勢力に抗して巻取軸４０から順次繰り出されることになる。この間においては、巻取軸４０から繰り出されるスクリーン５０の上端部が巻取軸４０の外周面よりも室外側に位置するため、上方タイト材２７や両側タイト材２４に対して摺接することはない。従って、ボトムバー３０を下方に移動させる際の操作に大きな力が必要になることもない。尚、操作紐３４やボトムバー３０から手を離すと、付勢部材４１の付勢力により巻取軸４０が巻取方向に回転し、スクリーン５０が巻き取られて再び図３に示す状態に復帰する。
【００３２】
一方、ボトムバー３０を中間ヒレ部２１ｄの下端よりも下方に位置させると、中間ヒレ部２１ｄを超えてボトムバー３０を室内側に移動させ、図６の（ａ）に示すように、ボトムバー３０の挿入用切欠３１にフック部材６０を挿入することができる。この状態においても、ボトムバー３０から手を離すと、付勢部材４１の付勢力によって巻取軸４０が巻取方向に回転し、スクリーン５０を介してボトムバー３０がわずかに上方に移動することになる。
【００３３】
しかしながら、ボトムバー３０の挿入用切欠３１にフック部材６０を挿入した状態にあっては、スクリーン５０に巻取方向の力が加えられると、フック部材６０の屈曲した先端部が挿入用切欠３１の開口周縁部に形成した係合部３２ｂに係合し、図６の（ｂ）に示すように、上方への移動が阻止されて繰り出された状態を維持するため、一対のガイド部材２１の間がスクリーン５０によって覆われた状態となる。
【００３４】
しかも、ボトムバー３０の挿入用切欠３１にフック部材６０を挿入した直後の状態にあっては、図６の（ａ）に示すように、両側タイト材２４に対して、係合部３２ｂとフック部材６０との係合位置が室外側に位置し、かつスクリーン５０との接続部分３２ａが係合部３２ｂとフック部材６０との係合位置よりも室外側に位置し、さらに、図１に示すように、巻取軸４０から繰り出されるスクリーン５０の上端位置がスクリーン５０との接続部分３２ａよりも室内側において上方に位置している。従って、この状態からスクリーン５０に対して巻取方向の力が加えられると、スクリーン５０との接続部分３２ａを介してボトムバー３０に加えられる張力の位置と、フック部材６０との係合位置が見込み方向に沿ってずれているため、ボトムバー３０が係合部３２ｂの先端縁に沿った水平線を中心として回転し、スクリーン５０との接続部分３２ａが室内側に向けて移動することになる。この結果、スクリーン５０の室内側に位置する表面がガイド部材２１に設けた両側タイト材２４に圧接されるとともに、ケース部２２ａに設けた上方タイト材２７に圧接される。さらに、ボトムバー３０に設けた枠側タイト材３３が起立姿勢となり、その先端部が下額縁部材１２ｂの上面に圧接される。従って、スクリーン５０を繰り出してボトムバー３０をフック部材６０に係合させれば、室内側と室外側との間の気密性を高めることができるようになり、断熱性を向上させることが可能となる。
【００３５】
上述のようにスクリーン５０を繰り出した状態においては、例えば室内ドアを開閉した場合や扇風機、エアコン等の空調機から風を受けた場合、スクリーン５０の端部が両側タイト材２４から離れるように室外側に移動することがある。しかしながら、この場合には、巻取軸４０に設けた付勢部材４１によってスクリーン５０に巻取方向の力が加えられた時点で自動的に元の状態に復帰することが可能である。また、ロールスクリーン装置よりも室外側に設けられた引き違い窓１０が開いた状態で室外側から強い風圧を受けた場合には、スクリーン５０の端部がガイド部材２１の内方ヒレ部２１ｃを超えて室内側に移動するおそれがある。しかしながら、このロールスクリーン装置では、スクリーン５０の端部が単に内方ヒレ部２１ｃの室外側に臨む見付け面に対向するように構成しているだけであるため、例えばボトムバー３０とフック部材６０との係合状態を解除した後、ボトムバー３０を室外側に移動させれば、スクリーン５０の端部が再び内方ヒレ部２１ｃの室外側に臨む見付け面と対向した状態に復帰させることができる。
【００３６】
尚、上述した実施の形態では、躯体開口１に設けた引き違い窓１０の額縁１２を取付対象とするものを例示しているが、必ずしも引き違い窓１０の額縁１２に付設するものに限定されず、その他の建具に付設するようにしても良い。また、係合部材として円筒状を成すボトムバー３０を例示しているが、係合部材の形状は円筒状である必要はない。さらに、スクリーン５０に対して両側タイト材２４を室内側に配設したものを例示しているが、両側タイト材２４をスクリーン５０よりも室外側に配設するように構成することも可能である。また、両側タイト材２４及び枠側タイト材３３については、必ずしも「モヘア」と称される刷毛状のものに限らず、例えば柔らかい不織布によってヒレ状に成形したものを適用しても構わない。
【符号の説明】
【００３７】
１２ｂ  下額縁部材、２１  ガイド部材、２１ｃ  内方ヒレ部、２２  支持体、２４  両側タイト材、３０  ボトムバー、３１  挿入用切欠、３２ａ  スクリーンとの接続部分、３２ｂ  係合部、３３  枠側タイト材、４０  巻取軸、４１  付勢部材、５０  スクリーン、６０  フック部材
【図１】
2015168970.tif 000003
【図２】
2015168970.tif 000004
【図３】
2015168970.tif 000005
【図４】
2015168970.tif 000006
【図５】
2015168970.tif 000007
【図６】
2015168970.tif 000008